(57)【要約】      （修正有）【課題】ユーザが速やかかつ容易にセロハンテープからテープを切り取ることができ、容易に移動させることもできる手提げ式テープカッターを提供する。【解決手段】手提げ式テープカッター１００は、本体１０、カッターユニット２０、回転ホイール３０、ハンドル４０及び蓋体５０を備える。本体１０は、上方へ延びた固定片１１を前端両側面に有する。固定片１１の側壁縁は、互いに対をなす一体成形された位置決めブロック１２が延設される。本体１０の両側には、側壁１３がそれぞれ形成される。本体１０の２つの側壁１３縁の所定箇所には、溝部１３１がそれぞれ形成される。側壁１３の所定箇所には、ストッパ部材１４１，１４２がそれぞれ外方へ設けられる。カッターユニット２０は、刃片２１及び仮貼着片２２を有する。仮貼着片２２の下端には、プレート体２２１が略縦向きに立設される。プレート体２２１の上端には、弧状の仮貼着領域２２２が横向きに形成され、刃片２１及び仮貼着片２２が位置決めブロック１２に螺着される。【選択図】図３
0003186277.tif 000002
【実用新案登録請求の範囲】
【請求項１】
本体、カッターユニット、回転ホイール、ハンドル及び蓋体を備えた手提げ式テープカッターであって、
前記本体は、上方へ延びた固定片を前端両側面に有し、前記固定片の側壁縁には、互いに対をなす一体成形された位置決めブロックが延設され、前記本体の両側には、側壁がそれぞれ形成され、前記本体の２つの側壁縁の所定箇所には、溝部がそれぞれ形成され、前記側壁の所定箇所には、ストッパ部材がそれぞれ外方へ設けられ、
前記カッターユニットは、刃片及び仮貼着片を有し、前記仮貼着片の下端には、プレート体が略縦向きに立設され、前記プレート体の上端には、弧状の仮貼着領域が横向きに形成され、前記刃片及び前記仮貼着片が前記位置決めブロックに螺着され、
前記回転ホイールは、前記溝部に対応するように中央部に枢着されて前記溝部中に架設される中心軸を有し、
前記ハンドルは、両側に側壁がそれぞれ形成され、前記ハンドルの側壁には、前記本体の側壁がそれぞれ枢着され、前記ハンドルには、前記ストッパ部材に対応する係合部材が枢着され、
前記蓋体は、前記ハンドルに枢着され、前記固定片に対応する係合部が前端にそれぞれ設けられることを特徴とする手提げ式テープカッター。
【請求項２】
前記本体の２つの側壁間には、逆止棒が配設され、
前記逆止棒の両端には、前記本体の２つの側壁がそれぞれ接続されることを特徴とする請求項１に記載の手提げ式テープカッター。
【請求項３】
前記本体の底壁には、複数の螺着孔が形成されることを特徴とする請求項１に記載の手提げ式テープカッター。
【請求項４】
前記位置決めブロックには、第１の穿孔が形成され、
前記刃片及び前記仮貼着片には、前記第１の穿孔に対応した第２の穿孔がそれぞれ形成され、前記刃片及び前記仮貼着片には、ねじが挿通されて前記位置決めブロックへ螺着されることを特徴とする請求項１に記載の手提げ式テープカッター。
【請求項５】
前記ストッパ部材は、前記ハンドル側壁の互いに対をなす側部にそれぞれ設けられることを特徴とする請求項１に記載の手提げ式テープカッター。
【請求項６】
前記回転ホイールの周縁には、複数の突條体が設けられていることを特徴とする請求項１に記載の手提げ式テープカッター。
【請求項７】
前記係合部材には、前記ストッパ部材に対応する係合溝が形成されていることを特徴とする請求項１に記載の手提げ式テープカッター。
【請求項８】
前記蓋体には、前記ハンドルの２つの側壁に対応する一体化された延伸壁が延設され、
前記延伸壁は、前記ハンドルの２つの側壁へそれぞれ枢着されることを特徴とする請求項１に記載の手提げ式テープカッター。
【請求項９】
前記係合部は、Ｌ字状のバンプであることを特徴とする請求項１に記載の手提げ式テープカッター。
【請求項１０】
前記蓋体は、両側面にリブが外方へ突設され、内側面に複数の強化リブが設けられることを特徴とする請求項１に記載の手提げ式テープカッター。
【考案の詳細な説明】
【技術分野】
【０００１】
本考案はテープカッターに関し、特に、手提げ式テープカッターに関する。
【背景技術】
【０００２】
図１に示すように、従来のテープカッターはベース１を含む。ベース１上のスペース２には回転ホイール３が枢着される。回転ホイール３にはセロハンテープ４が外嵌される。ベース１の前端に設けられた刃片台５には刃片６が嵌合され、刃片６によりセロハンテープを切断し、切断後に残ったセロハンテープの前端を刃片６上へ接着させ、次回使用する際、セロハンテープの前端を探す手間を無くす。
【０００３】
従来のテープカッターの設置位置を変えるとき、ユーザはベース１の両側を両手で持ったりベース１の底部を手で支えたりして移動させるが、ベース１の表面が平滑なため、テープカッターを手で持つ際、床に落としてしまう虞があり、セロハンテープを切断する過程で、テープカッターに力が加えられて滑ると、テープカッターの位置を調整しなければならなかったが、テープカッターの設置位置を変えることは容易でなかった。また刃片６がテープカッターから突出しているため、使用過程で手を怪我し易く、テープを使用するに従い厚さが薄くなってテープが繰り出される角度が変わるため、セロハンテープを正確に接着させることが困難となることがあった。そのため、従来のテープカッターには改善の余地があった。
【考案の概要】
【考案が解決しようとする課題】
【０００４】
本考案の目的は、ユーザが速やか且つ容易にセロハンテープからテープを切り取ることができる上、容易に移動させることもできる手提げ式テープカッターを提供することにある。
【課題を解決するための手段】
【０００５】
上記課題を解決するために、本考案の第１の形態によれば、本体、カッターユニット、回転ホイール、ハンドル及び蓋体を備えた手提げ式テープカッターであって、前記本体は、上方へ延びた固定片を前端両側面に有し、前記固定片の側壁縁には、互いに対をなす一体成形された位置決めブロックが延設され、前記本体の両側には、側壁がそれぞれ形成され、前記本体の２つの側壁縁の所定箇所には、溝部がそれぞれ形成され、前記側壁の所定箇所には、ストッパ部材がそれぞれ外方へ設けられ、前記カッターユニットは、刃片及び仮貼着片を有し、前記仮貼着片の下端には、プレート体が略縦向きに立設され、前記プレート体の上端には、弧状の仮貼着領域が横向きに形成され、前記刃片及び前記仮貼着片が前記位置決めブロックに螺着され、前記回転ホイールは、前記溝部に対応するように中央部に枢着されて前記溝部中に架設される中心軸を有し、前記ハンドルは、両側に側壁がそれぞれ形成され、前記ハンドルの側壁には、前記本体の側壁がそれぞれ枢着され、前記ハンドルには、前記ストッパ部材に対応する係合部材が枢着され、前記蓋体は、前記ハンドルに枢着され、前記固定片に対応する係合部が前端にそれぞれ設けられることを特徴とする手提げ式テープカッターが提供される。
【０００６】
前記本体の２つの側壁間には、逆止棒が配設され、前記逆止棒の両端には、前記本体の２つの側壁がそれぞれ接続されることが好ましい。
【０００７】
前記本体の底壁には、複数の螺着孔が形成されることが好ましい。
【０００８】
前記位置決めブロックには第１の穿孔が形成され、前記刃片及び前記仮貼着片には、前記第１の穿孔に対応した第２の穿孔がそれぞれ形成され、前記刃片及び前記仮貼着片には、ねじが挿通されて前記位置決めブロックへ螺着されることが好ましい。
【０００９】
前記ストッパ部材は、前記ハンドル側壁の互いに対をなす側部にそれぞれ設けられることが好ましい。
【００１０】
前記回転ホイールの周縁には、複数の突條体が設けられていることが好ましい。
【００１１】
前記係合部材には、前記ストッパ部材に対応する係合溝が形成されていることが好ましい。
【００１２】
前記蓋体には、前記ハンドルの２つの側壁に対応する一体化された延伸壁が延設され、前記延伸壁は前記ハンドルの２つの側壁へそれぞれ枢着されることが好ましい。
【００１３】
前記係合部は、Ｌ字状のバンプであることが好ましい。
【００１４】
前記蓋体は、両側面にリブが外方へ突設され、内側面に複数の強化リブが設けられることが好ましい。
【図面の簡単な説明】
【００１５】
【図１】従来のテープカッターを示す斜視図である。
【図２】本考案の一実施形態に係る手提げ式テープカッターを示す斜視図である。
【図３】本考案の一実施形態に係る手提げ式テープカッターを示す分解斜視図である。
【図４】本考案の一実施形態に係る手提げ式テープカッターを示す分解斜視図である。
【図５】本考案の一実施形態に係る手提げ式テープカッターを示す側面図である。
【図６】本考案の一実施形態に係る手提げ式テープカッターを使用するときの状態を示す斜視図である。
【図７】本考案の一実施形態に係る手提げ式テープカッターを使用するときの状態を示す断面図である。
【図８】本考案の一実施形態に係る手提げ式テープカッターを収納するときの状態を示す側面図である。
【考案を実施するための形態】
【００１６】
以下、本考案の実施形態について図に基づいて説明する。なお、これによって本考案が限定されるものではない。
【００１７】
図２〜図５を参照する。図２は、本考案の一実施形態に係る手提げ式テープカッターを示す斜視図である。図３は、本考案の一実施形態に係る手提げ式テープカッターを示す分解斜視図である。図４は、本考案の一実施形態に係る手提げ式テープカッターを示す分解斜視図である。図５は、本考案の一実施形態に係る手提げ式テープカッターを示す側面図である。図２〜図５に示すように、本考案の一実施形態に係る手提げ式テープカッター１００は、少なくとも本体１０、カッターユニット２０、回転ホイール３０、ハンドル４０及び蓋体５０から構成される。
【００１８】
本体１０は、金属片が折り曲げられて形成され、上向きのコ字状の断面を有する。本体１０は、上方へ延びた固定片１１を前端両側面に有する。これら複数の固定片１１の側壁縁には、互いに対をなす一体成形された位置決めブロック１２が延設される。これら複数の位置決めブロック１２には、第１の穿孔１２１が形成される。本体１０の両側には、側壁１３がそれぞれ形成される。本体１０の２つの側壁１３縁の所定箇所には、溝部１３１がそれぞれ形成されている。本体１０の２つの側壁１３の所定箇所には、２つのストッパ部材１４がそれぞれ外方へ設けられる。ストッパ部材１４には、第１のストッパ部材１４１及び第２のストッパ部材１４２が形成される。本体１０の２つの側壁１３間には、逆止棒１５が配設されている。逆止棒１５の両端には、本体１０の２つの側壁１３がそれぞれ接続され、本体１０の底壁１６には、複数の螺着孔１６１が形成され（図７参照）、底壁１６の底側には、複数の弾性ブロック１６２が設けられる。
【００１９】
カッターユニット２０は、刃片２１及び仮貼着片２２を有する。刃片２１の上端縁には、鋸歯状の刃２１１が形成される。仮貼着片２２の下端には、プレート体２２１が略縦向きに立設される。プレート体２２１の上端には、横向きに彎曲された弧状の仮貼着領域２２２が形成される。刃片２１及び仮貼着片２２のそれぞれには、第１の穿孔１２１に対応した第２の穿孔２１２，２２３がそれぞれ形成される。刃片２１及び仮貼着片２２は、ねじが挿通されて本体１０へ螺着される。
【００２０】
回転ホイール３０は、複数の溝部１３１に対応するように中央部に枢着されて溝部１３１中に架設される中心軸３１を有し、本体１０上で回転ホイール３０が回転自在であり、回転ホイール３０の周縁には、セロハンテープを嵌合させる複数の突條体３２が形成されている。
【００２１】
ハンドル４０は、金属片が折り曲げられて形成され、上向きのコ字状の断面を有する。ハンドル４０の両側には、側壁４１がそれぞれ形成され、ハンドル４０の２つの側壁４１には、本体１０の２つの側壁１３がそれぞれ枢着され、２つのストッパ部材１４が、ハンドル４０の側壁４１の互いに対向した２つの側部にそれぞれ設けられる。ハンドル４０には、ストッパ部材１４に対応する係合部材４２が枢着される。係合部材４２には、ストッパ部材１４に対応する係合溝４２１が形成される。
【００２２】
蓋体５０は、透光材料からなり、ハンドル４０の２つの側壁４１の所定箇所に枢着される。蓋体５０の前端には、固定片１１に対応する係合部５１がそれぞれ設けられる。係合部５１は、Ｌ字状のバンプである。蓋体５０の両側には、リブ５２が突設される。蓋体５０の内部には、複数の強化リブ５３が設けられる。本実施形態の蓋体５０には、ハンドル４０の２つの側壁４１に対応する一体化された延伸壁５４が延設される。延伸壁５４は、ハンドル４０の２つの側壁４１へそれぞれ枢着される。
【００２３】
図６及び図７を参照する。図６及び図７に示すように、本実施形態の手提げ式テープカッター１００を実際に使用する場合、ユーザは、まず、ハンドル４０の側壁４１の縁部を第１のストッパ部材１４１へ当接させ、係合部材４２を第１のストッパ部材１４１へ係合させるだけで、ハンドル４０が固定され、セロハンテープ２００を回転ホイール３０へ外嵌させて溝部１３１中へ回転ホイール３０を架設させ、テープ２０１を引き出して逆止棒１５と本体１０の底壁１６との間に挿通させて刃片２１によりテープを切断し、切断後に残ったテープ２０１の前端を仮貼着片２２上へ接着させるため、次回使用する際にセロハンテープ２００の前端を探す手間を省くことができる。
【００２４】
手提げ式テープカッター１００の設置位置を変える場合、ユーザはハンドル４０を握って手提げ式テープカッター１００を移動させることができる。
【００２５】
手提げ式テープカッター１００のテープなどの材料が減った場合、ユーザは、係合部材４２と第１のストッパ部材１４１との係合状態を解除してハンドル４０を回転させ、ハンドル４０の側壁縁を第２のストッパ部材１４２へ当接させ、係合部材４２を第２のストッパ部材１４２へ係合させると、図８に示すように、手提げ式テープカッター１００の材料を減らして運ぶことを容易にすることができる。また手提げ式テープカッター１００は、ハンドル４０の側壁４１を第２のストッパ部材１４２へ当接させ、係合部材４２を第２のストッパ部材１４へ係合させると、容易に使用したり移動させたりすることができる。このように、ユーザは手提げ式テープカッター１００の使用状態又は収納状態を選択し、便利に使用したり運んだりすることができる。
【００２６】
図７を参照する。図７に示すように、切断後に残ったテープ２０１の前端を仮貼着片２２上へ接着させ、本体１０が逆止棒１５を有するため、セロハンテープ２００が使用されて厚さが小さくなっても、テープ２０１が繰り出される角度が変化せずに、テープ２０１が仮貼着片２２上へ堅固に接着され、セロハンテープ２００が反対方向へ回転されても、仮貼着片２２からテープ２０１が外れることを防ぎ、次回使用する際にセロハンテープの前端を探す手間を無くすことができる。
【００２７】
カッターユニット２０上は、蓋体５０により覆われる。蓋体５０は、複数の係合部５１を有する。蓋体５０は、係合部５１により複数の固定片１１へ係合され、カッターユニット２０を堅固に覆うと、カッターユニット２０の刃片２１へ、ユーザが誤って触れてしまうことを防いで使用上の安全性を高めることができる。蓋体５０上には、ユーザが蓋体５０を開いてセロハンテープ２００を便利に使用したり交換したり調整したりすることができるように、複数のリブ５２が設けられている。また蓋体５０には、構造強度を高めるために複数の強化リブが設けられている。
【００２８】
また、手提げ式テープカッター１００は、複数の弾性ブロック１６２により平面上へ弾性当接されたり、複数のねじを螺着孔１６１へ挿通してテープカッター１００を平面上へ螺着したり、さらにはねじ及び複数の弾性ブロック１６２を利用して平面上へ堅固に固着したりすることができるため、従来技術のように力を加えた際に手提げ式テープカッター１００が滑って移動することを防ぐことができる。
【００２９】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３０】
１      ベース
２      スペース
３      回転ホイール
４      セロハンテープ
５      刃片台
６      刃片
１０    本体
１１    固定片
１２    位置決めブロック
１３    側壁
１４    ストッパ部材
１５    逆止棒
１６    底壁
２０    カッターユニット
２１    刃片
２２    仮貼着片
３０    回転ホイール
３１    中心軸
３２    突條体
４０    ハンドル
４１    側壁
４２    係合部材
５０    蓋体
５１    係合部
５２    リブ
５３    強化リブ
５４    延伸壁
１００  手提げ式テープカッター
１２１  第１の穿孔
１３１  溝部
１４１  第１のストッパ部材
１４２  第２のストッパ部材
１６１  螺着孔
１６２  弾性ブロック
２００  セロハンテープ
２０１  テープ
２１１  刃
２１２  第２の穿孔
２２１  プレート体
２２２  仮貼着領域
２２３  第２の穿孔
４２１  係合溝
【図１】
0003186277.tif 000003
【図２】
0003186277.tif 000004
【図３】
0003186277.tif 000005
【図４】
0003186277.tif 000006
【図５】
0003186277.tif 000007
【図６】
0003186277.tif 000008
【図７】
0003186277.tif 000009
【図８】
0003186277.tif 000010